(57)【要約】【課題】非常時に医療情報を容易に持ち出して携行することが可能な救急医療情報ケースを提供することを目的とする。【解決手段】本考案に係る救急医療情報ケース５０によれば、非常時に紐部３４を引き出して人体に掛けることで、医療情報が記載された医療情報用紙１０を確実に携行することが可能となる。そして、この救急医療情報ケース５０に収容された医療情報用紙１０により、本人は適切な医療行為を迅速に受けることができる。【選択図】図１
0003160228.tif 000002
【実用新案登録請求の範囲】
【請求項１】
医療情報が記載された医療情報用紙を収容可能な容器部と、
当該容器部を開閉する蓋部と、
当該蓋部もしくは容器部に設置され保管時には前記容器部内に収容されるとともに非常時には引き出して人体に掛けることが可能な長さの紐部と、
を有することを特徴とする救急医療情報ケース。
【考案の詳細な説明】
【技術分野】
【０００１】
本考案は、非常時に医療情報を容易に持ち出して携行することが可能な救急医療情報ケースに関するものである。
【背景技術】
【０００２】
近年、地震、水害等の自然災害が多発しており、それらによる人的被害を軽減するため行政による早目の避難勧告や自主避難の機会が増加する傾向にある。このような避難の増加に伴って一般市民にも防災意識が高まり、非常時に最低限のものを持ち出すための非常持出し袋を予め準備しておく世帯も多い。
【０００３】
ここで、下記［特許文献１］では発電器、蓄電器、浄水器を収容可能で且つ展開すると簡易テントとなる避難用キャリングバックに関する発明が開示されている。
【先行技術文献】
【特許文献】
【０００４】
【特許文献１】特開２００７−０１６５５４号公報
【考案の概要】
【考案が解決しようとする課題】
【０００５】
しかしながら、高齢者等の社会的弱者は［特許文献１］のように重量のある防災グッズを安易に携行することはできない。また、一般的に高齢者にはなんらかの疾病を抱えていることが多く、避難途中や避難場所で体調を崩した場合に本人がどのような医療行為を受けていたかを示す医療情報を医療従事者に正確に伝達することは極めて重要なことである。しかしながら、現代では核家族化が進行し、高齢者のみが一人もしくは夫婦で暮らす高齢者世帯が増加しており、このような高齢者世帯では避難時も高齢者だけとなる。これら、高齢者本人や同居の高齢者が医療情報を他者に正確に伝達できるかは疑問である。また、離れて暮らす家族が医療情報を把握していないことも考えられる。従って、避難時には高齢者本人が自身の医療情報を携行することが好ましい。
【０００６】
本考案は上記事情に鑑みてなされたものであり、非常時に医療情報を容易に持ち出して携行することが可能な救急医療情報ケースを提供することを目的とする。
【課題を解決するための手段】
【０００７】
本考案は、
（１）医療情報が記載された医療情報用紙１０を収容可能な容器部３０と、当該容器部３０を開閉する蓋部３２と、当該蓋部３２もしくは容器部３０に設置され保管時には前記容器部３０内に収容されるとともに非常時には引き出して人体に掛けることが可能な長さの紐部３４と、を有することを特徴とする救急医療情報ケース５０を提供することにより、上記課題を解決する。
【考案の効果】
【０００８】
本考案に係る救急医療情報ケースは、非常時に紐部を引き出して人体に掛けることで、医療情報を確実に携行することが可能となる。これにより、避難時に医療行為が必要となった場合でも、医療情報を確実に伝達することができる。
【図面の簡単な説明】
【０００９】
【図１】本考案に係る救急医療情報ケースを示す図である。
【図２】本考案に係る救急医療情報ケースの紐部を引き出した状態を示す図である。
【図３】本考案に係る救急医療情報ケースを携行する状態を示す図である。
【考案を実施するための形態】
【００１０】
本考案に係る救急医療情報ケースの実施の形態について図面に基づいて説明する。図１に示す本考案に係る救急医療情報ケース５０は、医療情報が記載された医療情報用紙１０を収容可能な容器部３０と、容器部３０の開口部を開閉する蓋部３２と、蓋部３２もしくは容器部３０に設置され引き出して伸ばした時に人体に掛けることが可能な長さの紐部３４と、を有している。
【００１１】
医療情報用紙１０には、例えば、本人の住所・氏名、治療中の疾病、受診している医療機関、既往歴、服薬情報、注意事項等の医療情報が記載されている。尚、医療情報用紙１０は受診している医療機関が作成することが好ましい。
【００１２】
容器部３０はポリエチレンテレフタレート、ポリブチレンテレフタレート、ポリプロピレン等の透明もしくは半透明の合成樹脂で形成することが軽量化及び強度の面から好ましい。容器部３０の形状には特に限定は無いが、掴み易さの点から上部が開口した円筒形とすることが好ましい。そして、容器部３０上部の開口部の外周面には蓋部３２と係合する雄ネジの山が形成されている。また、容器部３０の外面には、「救急医療情報ケース」、「医療情報あり」等の語句を直接印刷するか、もしくはそれらの語句が印刷された紙を貼付することが好ましい。容器部３０の大きさは、高齢者が見つけ易く且つ容易に持ち運びが可能な大きさが好ましく、具体的には直径が６０ｍｍ〜７０ｍｍ程度、高さが１５０ｍｍ〜２３０ｍｍ程度で冷蔵庫のボトルストッカに入るくらいの大きさが特に好ましい。
【００１３】
蓋部３２は容器部３０の開口部を開閉するものであり、その内周面には開口部の雄ネジの山と螺合する雌ネジが形成されている。また、蓋部３２の上面には紐部３４を通す二つの孔３６が形成されている。孔３６の間隔は、２つの孔３６間に掛け渡された紐部３４を容易に引き出すことが可能な間隔であり、具体的には３０ｍｍ〜５０ｍｍ程度が好ましい。尚、紐部３４を設置するための２つの孔３６は、容器部３０の側に設けても良いが、紐部３４の引き出し易さや人体への掛け易さなどの面から蓋部３２の上面に設けることが最も好ましい。
【００１４】
紐部３４は２つの孔３６を通して両端が結ばれ一つの輪を形成している。そして、保管時には折り畳まれて例えば帯１２で束ねられ容器部３０内に収容されている。また、紐部３４の長さは、引き伸ばした時に、図３に示すように人体の首を通して肩から斜めに掛ける斜め掛けが高齢者でも容易にできる長さとすることが好ましい。
【００１５】
次に、本考案に係る救急医療情報ケース５０の使用方法を説明する。先ず、容器部３０内に医療情報が記載された医療情報用紙１０を入れる。また、容器部３０内には医療情報用紙１０以外にも、緊急時に服薬する薬、家族等の緊急連絡先が記載された紙等を入れても良い。
【００１６】
次に、帯１２で束ねられた紐部３４を容器部３０内に収容した上で、容器部３０の開口部を蓋部３２により閉める。そして、医療情報用紙１０及び紐部３４が収容された救急医療情報ケース５０を、予め定められた特定の場所に保管する。保管場所に関しては特に限定は無いが、冷蔵庫のボトルストッカとすることが好ましい。
【００１７】
そして、避難等の非常時には救急医療情報ケース５０を保管場所から取り出し、二つの孔３６から露出している紐部３４の一部に指を掛け、紐部３４を引き出す。これにより、束ねられた紐部３４が滑らかにほどけて、図２に示すように、輪状の紐部３４が外部に露出する。このとき、帯１２は、容器部３０の内部に落下する。尚、紐部３４の引き出しが滑らかに行えるよう、紐部３４の太さ、材質等は適切に選択される。また、帯１２の材質、形状、孔３６の径等も適切に選択される。
【００１８】
次に、紐部３４を本人の人体に掛ける。この際、救急医療情報ケース５０が容易にずり落ちないよう、図３のように斜め掛けにすることが好ましい。そして、指定の避難場所等に避難を行う。
【００１９】
避難途中や避難場所において本人が体調を崩したり怪我をした場合、救急隊員もしくは医療従事者は、携行している救急医療情報ケース５０確認し、蓋部３２を外すことで容器部３０を開栓する。このとき、容器部３０の外面には「救急医療情報ケース」等の語句が表示されているので、救急隊員もしくは医療従事者はこれを速やかに発見することができる。そして、容器部３０に収容されている医療情報用紙１０を取り出して内容を確認する。次に、救急隊員もしくは医療従事者は、医療情報用紙１０に記載された医療情報を把握した上で、適切な医療行為もしくは救急医療搬送を行う。
【００２０】
このように、救急隊員もしくは医療従事者は、医療情報用紙１０を確認することで、本人の医療情報を本人との会話で聞き取るよりも迅速且つ正確に把握することができる。また、本人の意識がないなど意思の伝達が不可能な場合でも、医療情報を確認することができる。さらに、大規模な災害等で医療現場が混乱している場合でも、医師はこの医療情報により適切な処置を迅速に行うことができる。
【００２１】
以上のように、本考案に係る救急医療情報ケース５０によれば、非常時に紐部３４を引き出して人体に掛けることで、医療情報が記載された医療情報用紙１０を確実に携行することが可能となる。また、保管時には紐部３４は容器部３０に収容されているため嵩張ることもなく、また紐部３４が保管中に絡まり避難時の携行に支障をきたすこともない。さらに、救急医療情報ケース５０は使用方法が極めて簡単で且つ取り扱いが容易となるよう構成されている。このため、高齢者にも容易に取り扱うことができる。そして、この救急医療情報ケース５０に収容された医療情報用紙１０により、本人は適切な医療行為を迅速に受けることができる。
【００２２】
尚、上記の例では高齢者が救急医療情報ケース５０を使用する例を用いたが特に高齢者に限るものではなく、障害を有する者や乳幼児、既往歴のある人やアレルギーのある人など医療行為において注意を要する全ての人間が使用することが可能である。尚、上記に示した救急医療情報ケース５０は一例であるから、各部の寸法、構造等は本考案の要旨を逸脱しない範囲で変更して実施することが可能である。
【符号の説明】
【００２３】
１０    医療情報用紙
３０    容器部
３２    蓋部
３４    紐部
５０    救急医療情報ケース
【図１】
0003160228.tif 000003
【図２】
0003160228.tif 000004
【図３】
0003160228.tif 000005